(57)【要約】【課題】被洗浄物の表面における汚れの付着が強固な場合でも、洗浄により、この汚れが十分に除去されるようにすると共に、この除去が迅速にできるようにする。【解決手段】被洗浄物１の表面２を浄化する洗浄方法であって、まず、被洗浄物１の表面２に対し洗剤３による泡４を層状に付着させ、次に、アルコール７を含浸させたワイパー８により泡４と共に被洗浄物１の表面２の汚れを拭き取るようにする。ワイパー８により泡４と汚れとを拭き取った後、被洗浄物１の表面２にアルコール７が残留している状態で、被洗浄物１の表面２にワックス１０により磨きをかけるようにする。洗剤３に第４級アンモニウム塩を含有させる。アルコールをイソプロピルアルコールとする。【選択図】図１
2008114150.tif 000002
【特許請求の範囲】
【請求項１】
被洗浄物の表面を浄化する洗浄方法であって、
まず、上記被洗浄物の表面に対し洗剤による泡を層状に付着させ、
次に、アルコールを含浸させたワイパーにより上記泡と共に上記被洗浄物の表面の汚れを拭き取るようにしたことを特徴とする洗浄方法。
【請求項２】
上記ワイパーにより上記泡と汚れとを拭き取った後、上記被洗浄物の表面にアルコールが残留している状態で、上記被洗浄物の表面にワックスにより磨きをかけるようにしたことを特徴とする請求項１に記載の洗浄方法。
【請求項３】
上記洗剤に第４級アンモニウム塩を含有させたことを特徴とする請求項１、もしくは２に記載の洗浄方法。
【請求項４】
上記アルコールをイソプロピルアルコールとしたことを特徴とする請求項１から３のうちいずれか１つに記載の洗浄方法。
【請求項５】
請求項１の洗浄方法を用いた家庭備品浄化システムであって、
各被介護者についてのそれぞれの介護内容と、上記各被介護者の各家庭における台所用品や空調設備などの家庭備品のうち、上記被洗浄物に該当するリストと、これら被洗浄物についての洗浄内容とを格納するデータベースを備え、このデータベースに基づき、ある被介護者についての介護内容を検索したとき、この被介護者の家庭における上記被洗浄物のリストが検索されると共に、これらの被洗浄物について将来採るべき洗浄内容が検索されるようにしたことを特徴とする家庭備品浄化システム。
【発明の詳細な説明】
【技術分野】
【０００１】
本発明は、家庭備品などの被洗浄物の表面を、拭き取り式の作業により浄化するようにした洗浄方法、およびこの洗浄方法を用いた家庭備品浄化システムに関するものである。
【背景技術】
【０００２】
上記洗浄方法には、従来、本出願におけると同じ発明者に係る下記特許文献１に示されるものがある。この公報のものによれば、被洗浄物の表面に対し洗剤による泡を付着させて泡洗浄し、この泡洗浄により泡が残留している間に、上記被洗浄物にアルコールなどの溶剤を注いで上記泡を洗い流し、次に、上記被洗浄物の表面から上記溶剤を蒸発させる、というものである。
【０００３】
そして、上記洗浄方法によれば、被洗浄物の表面に大きい外力を与えないで、被洗浄物の表面の洗浄ができる、という効果が生じる。
【特許文献１】特開平５−１８５０５１号公報
【発明の開示】
【発明が解決しようとする課題】
【０００４】
ところで、上記被洗浄物の表面に付着している汚れには、この付着が強固なものがある。この場合には、第１に、上記従来の技術の泡と溶剤とによる洗浄では、上記汚れを十分には除去できないおそれがある。また、第２に、上記従来の技術のように、被洗浄物の表面に泡を付着させることによる洗浄では、時間を要し、このため、迅速な洗浄はできないおそれもある。
【０００５】
一方、自宅に住む人々の中には、怪我や病弱などの身体的等の理由により、外部の介護者によって何らかの介護を必要とする被介護者がいる。通常、これら被介護者については、介護者によって介護内容がパソコンなどの電子的な記憶装置に記憶されており、上記介護内容に基づいて、所定の介護が行われるようになっている。上記介護内容は、例えば、過去に行われた介護時期、介護方法であり、また、将来採るべき介護時期、介護方法などである。
【０００６】
ところで、上記被介護者の家庭でも、当然に、その家庭備品には被洗浄物に該当するものが存在する。しかし、上記被介護者やその家庭内の者にとって、上記被洗浄物につき適切な洗浄を行う、ということはできない場合がある。
【課題を解決するための手段】
【０００７】
本発明は、上記のような事情に注目してなされたもので、本発明の目的は、被洗浄物の表面における汚れの付着が強固な場合でも、洗浄により、この汚れが十分に除去されるようにすると共に、この除去が迅速にできるようにすることである。
【０００８】
また、本発明の他の目的は、被介護者が居る家庭における被洗浄物につき、上記洗浄が適切にできるようにすることである。
【０００９】
請求項１の発明は、被洗浄物１の表面２を浄化する洗浄方法であって、
まず、上記被洗浄物１の表面２に対し洗剤３による泡４を層状に付着させ、
次に、アルコール７を含浸させたワイパー８により上記泡４と共に上記被洗浄物１の表面２の汚れを拭き取るようにしたものである。
【００１０】
請求項２の発明は、請求項１の発明に加えて、上記ワイパー８により上記泡４と汚れとを拭き取った後、上記被洗浄物１の表面２にアルコール７が残留している状態で、上記被洗浄物１の表面２にワックス１０により磨きをかけるようにしものである。
【００１１】
請求項３の発明は、請求項１、もしくは２の発明に加えて、上記洗剤３に第４級アンモニウム塩を含有させたものである。
【００１２】
請求項４の発明は、請求項１から３のうちいずれか１つの発明に加えて、上記アルコール７をイソプロピルアルコールとしたものである。
【００１３】
請求項５の発明は、請求項１の洗浄方法を用いた家庭備品浄化システムであって、
各被介護者１４についてのそれぞれの介護内容と、上記各被介護者１４の各家庭１３における台所用品や空調設備などの家庭備品のうち、上記被洗浄物１に該等するリストと、これら被洗浄物１についての洗浄内容とを格納するデータベース１８を備え、このデータベース１８に基づき、ある被介護者１４についての介護内容を検索したとき、この被介護者１４の家庭１３における上記被洗浄物１のリストが検索されると共に、これらの被洗浄物１について将来採るべき洗浄内容が検索されるようにしたものである。
【００１４】
なお、この項において、上記各用語に付記した符号は、本発明の技術的範囲を後述の「実施例」の項や図面の内容に限定解釈するものではない。
【発明の効果】
【００１５】
本発明による効果は、次の如くである。
【００１６】
請求項１の発明は、被洗浄物の表面を浄化する洗浄方法であって、
まず、上記被洗浄物の表面に対し洗剤による泡を層状に付着させ、
次に、アルコールを含浸させたワイパーにより上記泡と共に上記被洗浄物の表面の汚れを拭き取るようにしている。
【００１７】
上記発明によれば、被洗浄物の表面に対する洗剤の付着は層状の泡によるため、洗剤が液状のままであることに比べて、上記被洗浄物の表面に対する洗剤の付着状態はある程度長く維持される。よって、上記被洗浄物の表面に付着した洗剤の泡により、上記被洗浄物の表面から汚れの一部が離脱させられると共に、この表面に対する汚れの他部の付着の強度が弱められる。
【００１８】
ここで、上記被洗浄物の表面に対する汚れの付着の強度は、油分に基づいていることが多い。このため、上記したように、被洗浄物の表面の汚れを上記ワイパーにより拭き取るようにすると、このワイパーから上記汚れに外力が与えられることとなって、上記汚れには多くの亀裂が生じる。そして、この亀裂内に上記ワイパー内のアルコールが直ちに浸入して、上記油分を容易に溶解し、上記被洗浄物の表面から円滑に離脱させる。
【００１９】
また、上記したように、被洗浄物の表面上の泡がアルコールを含浸させたワイパーにより拭き取られる際、上記アルコールには消泡作用があるため、上記泡の拭き取りはより迅速になされる。
【００２０】
また、上記被洗浄物の表面の汚れを上記ワイパーにより拭き取ることを終了すると、上記アルコールは被洗浄物の表面から蒸発する。この際、上記被洗浄物の表面に残留していた洗剤と水分とは、上記アルコールとの共沸作用によって、このアルコールの蒸発と共に迅速に、かつ、強制的に蒸発除去させられ、これら洗剤と水分とが上記被洗浄物の表面に残留することが防止される。
【００２１】
よって、洗浄物の表面における汚れの付着が強固な場合でも、上記洗浄方法によれば、この汚れが十分に除去されると共に、この除去は迅速になされる。
【００２２】
請求項２の発明は、上記ワイパーにより上記泡と汚れとを拭き取った後、上記被洗浄物の表面にアルコールが残留している状態で、上記被洗浄物の表面にワックスにより磨きをかけるようにしている。
【００２３】
ここで、上記ワックスは油分であって、アルコールにより溶解され易い。よって、上記ワックスによる磨き作業が容易にできると共に、このワックスを上記被洗浄物の表面に薄く均一に展開させることができて、この表面をより美麗にできる。
【００２４】
請求項３の発明は、上記洗剤に第４級アンモニウム塩を含有させている。
【００２５】
このため、上記被洗浄物の表面が上記したように洗浄されると共に、上記洗剤に含有された第４級アンモニウム塩により、殺菌が行われる。よって、洗浄と殺菌とが同時に行われて有益である。
【００２６】
請求項４の発明は、上記アルコールをイソプロピルアルコールとしている。
【００２７】
ここで、上記イソプロピルアルコールは、安価で入手し易いものであるため、前記各効果は安価に達成される。
【００２８】
請求項５の発明は、請求項１の洗浄方法を用いた家庭備品浄化システムであって、
各被介護者についてのそれぞれの介護内容と、上記各被介護者の各家庭における台所用品や空調設備などの家庭備品のうち、上記被洗浄物に該当するリストと、これら被洗浄物ついての洗浄内容とを格納するデータベースを備え、このデータベースに基づき、ある被介護者についての介護内容を検索したとき、この被介護者の家庭における上記被洗浄物のリストが検索されると共に、これらの被洗浄物について将来採るべき洗浄内容が検索されるようにしている。
【００２９】
このため、上記システムの管理者である外部の介護者が、ある被介護者についての介護内容を、上記データベースに基づいた検索によって知るとき、これと共に、この被介護者の家庭における各被洗浄物について採るべき洗浄内容をも知ることができる。よって、上記被介護者に対し適切な介護ができると共に、同時に上記被介護者の家庭における被洗浄物について適切な洗浄ができ、つまり、これら介護や洗浄の各作業が合理的にできる。
【発明を実施するための最良の形態】
【００３０】
本発明の洗浄方法に関し、被洗浄物の表面における汚れの付着が強固な場合でも、洗浄により、この汚れが十分に除去されるようにすると共に、この除去が迅速にできるようにする、という目的を実現するため、本発明を実施するための最良の形態は、次の如くである。
【００３１】
即ち、被洗浄物の表面を浄化する洗浄方法であって、
まず、上記被洗浄物の表面に対し洗剤による泡を層状に付着させ、
次に、アルコールを含浸させたワイパーにより上記泡と共に上記被洗浄物の表面の汚れを拭き取るようにしている。
【実施例】
【００３２】
本発明をより詳細に説明するために、その実施例を添付の図に従って説明する。
【００３３】
図１−３において、符号１は家庭備品など、洗浄対象となる被洗浄物である。この家庭備品は、台所用品、換気ファン、空調設備、窓ガラス、ソファー、絨毯、および自動車などである。
【００３４】
上記被洗浄物１の表面２を洗浄する洗浄方法につき、説明する。
【００３５】
図１において、まず、第１工程として、上記被洗浄物１の表面２に対し洗剤３による泡４をスプレー５により層状に付着させる。上記洗剤３は、次亜塩素酸ソーダと水とを原料とし、これに起泡剤としての中性洗剤と、殺菌剤としての第４級アンモニウム塩とが含有されている。
【００３６】
そして、上記したように、被洗浄物１の表面２に対する洗剤３の付着は層状の泡４によるため、洗剤３が液状のままであることに比べて、上記被洗浄物１の表面２に対する洗剤３の付着状態はある程度長く維持される。よって、上記被洗浄物１の表面２に付着した洗剤３の泡４により、上記被洗浄物１の表面２から汚れの一部が離脱させられると共に、この表面２に対する汚れの他部の付着の強度が弱められる。
【００３７】
また、上記した被洗浄物１の表面２における泡４による洗浄と共に、上記洗剤３に含有された第４級アンモニウム塩により、殺菌が行われる。
【００３８】
図２において、次に、第２工程として、アルコール７を含浸させたワイパー８により、上記泡４と共に上記被洗浄物１の表面２の汚れを拭き取るようにする。上記アルコール７は、イソプロピルアルコール、エタノール、メタノール、高級アルコールなどである。また、上記ワイパー８は、スポンジ、モップ、マット、布製などのタオル、およびブラシなどである。
【００３９】
ここで、上記被洗浄物１の表面２に対する汚れの付着の強度は、油分に基づいていることが多い。このため、上記したように、被洗浄物１の表面２の汚れを上記ワイパー８により拭き取るようにすると、このワイパー８から上記汚れに外力が与えられることとなって、上記汚れには多くの亀裂が生じる。そして、この亀裂内に上記ワイパー８内のアルコール７が直ちに浸入して、上記油分を容易に溶解し、上記被洗浄物１の表面２から円滑に離脱させる。
【００４０】
また、上記したように、被洗浄物１の表面２上の泡４がアルコール７を含浸させたワイパー８により拭き取られる際、上記アルコール７には消泡作用があるため、上記泡４の拭き取りはより迅速になされる。
【００４１】
また、上記被洗浄物１の表面２の汚れを上記ワイパー８により拭き取ることを終了すると、上記アルコール７は被洗浄物１の表面２から蒸発する。この際、上記被洗浄物１の表面２に残留していた洗剤３と水分とは、上記アルコール７との共沸作用によって、このアルコール７の蒸発と共に迅速に、かつ、強制的に蒸発除去させられ、これら洗剤３と水分とが上記被洗浄物１の表面２に残留することが防止される。
【００４２】
図３において、第３工程として、上記ワイパー８により上記泡４と汚れとを拭き取った後、上記被洗浄物１の表面２にアルコール７が極めて薄く残留している状態で、上記被洗浄物１の表面２にポリッシャー９を用いワックス１０により磨きをかける。上記ポリッシャー９は、上記ワイパー８と同様の材質とされる。
【００４３】
上記の場合、ワックス１０は油分であって、アルコール７により溶解され易い。よって、上記ワックス１０による磨き作業が容易にできると共に、このワックス１０を上記被洗浄物１の表面２に薄く均一に展開させることができて、この表面２をより美麗にできる。
【００４４】
図４において、上記洗浄方法を用いた家庭備品浄化システムにつき説明する。
【００４５】
図４中、符号１３は家庭であり、この家庭１３には、何らかの介護が必要とされる被介護者１４が居る。また、上記家庭１３には、上記洗浄対象とされる被洗浄物１が設けられている。
【００４６】
上記被介護者１４を介護すると共に、上記被洗浄物１を洗浄する外部の介護者１６は、これら介護や洗浄の各作業を管理するための電子的な管理装置（パソコン）１７を有している。この管理装置１７のデータベース１８には、各被介護者１４についてのそれぞれの介護内容と、各被介護者１４の各家庭１３における上記被洗浄物１に該当するリストと、これら被洗浄物１についての洗浄内容とが格納されている。
【００４７】
上記介護内容は、過去に行われた介護時期、介護方法であり、また、将来採るべき介護時期、介護方法などである。また、上記洗浄内容は、過去に行われた洗浄時期、洗浄方法であり、また、将来採るべき洗浄時期、洗浄方法などである。
【００４８】
そして、上記データベース１８に基づき、ある被介護者１４についての介護内容を検索したとき、この被介護者１４の家庭１３における上記被洗浄物１のリストが検索されると共に、これら被洗浄物１について将来採るべき洗浄内容が検索されるようになっている。
【００４９】
このため、上記システムの管理者である外部の介護者１６が、ある被介護者１４についての介護内容を、上記データベース１８に基づいた検索によって知るとき、これと共に、この被介護者１４の家庭１３における各被洗浄物１について採るべき洗浄内容をも知ることができる。よって、上記被介護者１４に対し適切な介護ができると共に、同時に上記被介護者１４の家庭１３における被洗浄物１について適切な洗浄ができ、つまり、これら介護や洗浄の各作業が合理的にできる。
【図面の簡単な説明】
【００５０】
【図１】洗浄方法の第１工程を示す図である。
【図２】洗浄方法の第２工程を示す図である。
【図３】洗浄方法の第３工程を示す図である。
【図４】家庭備品浄化システムの全体線図である。
【符号の説明】
【００５１】
１    被洗浄物
２    表面
３    洗剤
４    泡
７    アルコール
８    ワイパー
９    ポリッシャー
１０  ワックス
１３  家庭
１４  被介護者
１６  介護者
１７  管理装置
１８  データベース
【図１】
2008114150.tif 000003
【図２】
2008114150.tif 000004
【図３】
2008114150.tif 000005
【図４】
2008114150.tif 000006
【手続補正書】
【提出日】平成18年11月7日(2006.11.7)
【手続補正１】
【補正対象書類名】図面
【補正対象項目名】全図
【補正方法】変更
【補正の内容】
【図１】
2008114150.tif 000007
【図２】
2008114150.tif 000008
【図３】
2008114150.tif 000009
【図４】
2008114150.tif 000010